(57)【要約】【課題】  個室並みの良好な空間環境を容易に実現することができ、しかも個室使用料の請求もできる病院の大部屋を提供する。【解決手段】  床面上にパネルを設置して部屋内にそれぞれ個別にベッドＢを設置し得る準個室スペースを複数形成した病院の大部屋である。パネルは、積層式の頭部側パネル２の一方の表面にサイドパネル１の一方の端部を連結して自立可能に形成されたＴ字状の間仕切である。準個室スペースは、Ｔ字状の間仕切を頭部側パネル２の他方の表面で部屋を形成する壁面を覆うように床面上に設置してサイドパネル１の両側にそれぞれ形成されている。頭部側パネル２を形成するパネル部材の一部に、矩形状に貫通した開口部を備えたパネル部材を用いる。【選択図】  図２
2011038402.tif 000002
【特許請求の範囲】
【請求項１】
床面上にパネルを設置して部屋内にそれぞれ個別にベッドを設置し得る準個室スペースを複数形成した病院の大部屋であって、
前記パネルは、積層式の頭部側パネルの一方の表面にサイドパネルの一方の端部を連結して自立可能に形成されたＴ字状の間仕切であり、
前記準個室スペースは、前記Ｔ字状の間仕切を前記頭部側パネルの他方の表面で前記部屋を形成する壁面を覆うように床面上に設置して前記サイドパネルの両側にそれぞれ形成され、
前記頭部側パネルを形成するパネル部材の一部に、矩形状に貫通した開口部を備えたパネル部材を用いたことを特徴とする病院の大部屋。
【請求項２】
前記複数の準個室スぺースの前記頭部側パネルと反対側は、天井又は天井側に配置したカーテンレールに移動可能に支持され前記サイドパネルの前端面に触れるか又は接近するカーテンでそれぞれ個別に仕切られる請求項１に記載の病院の大部屋。
【請求項３】
前記サイドパネルは、積層タイプのパネルであり、前記頭部側パネルと前記サイドパネルを形成するパネル部材の一部に、透光性を有する透光パネル部材か、電源コンセント、電話コンセント、或は簡易手洗いを備えたパネル部材か、又はこれら両方のパネル部材を用いた請求項１又は２に記載の病院の大部屋。
【発明の詳細な説明】
【技術分野】
【０００１】
本発明は、床面上にパネルを設置して部屋内にそれぞれ個別にベッドを設置し得る準個室スペースを複数形成した病院の大部屋に関するものである。
【背景技術】
【０００２】
入院設備を具備した病院には、複数の患者を収容するいわゆる大部屋と、１人の患者を収容する個室とが設けられている。大部屋では、各入院患者用のスペースを区画するため、各ベッドの周囲を囲むカーテンが備え付けられているのが一般的である。従って、大部屋で各ベッドを使用する入院患者は、カーテンを介して視覚的に外部と遮断することができるが、それ以上の遮蔽効果はなく、プライバシーの十分な保護を得ることはできない。ここで、大部屋とは一般的に４人以上の患者を一部屋に入院させるようにしたベッドが４床以上の病室をいうが、本発明は２人以上の患者がカーテンなどのいわゆる軽間仕切で仕切られて個々のベッドを使用するように形成された２床の病室にも適用できることは勿論である。
【０００３】
上記のように大部屋の各ベッドの回りに配設されたカーテンでは、カーテン内の光や音が容易に外部に漏れるので、十分なプライバシーを保つことができないほか、その光や音が周囲に迷惑をかけることもあって、病院の大部屋では快適な入院生活を送ることは難しいというのが現状である。
【０００４】
また、国の施策としても６床や８床などの大部屋ではなく、１部屋あたりのベッド数を少なくして、病室における一人あたりの面積を増やして患者の入院環境を改善することを望んでいる。しかし、単純にベッド数を減らせば、病院側の収入が減るため、国は病室における一人あたりの面積が一定以上に確保されていれば、医療保険で支払われる入院料とは別に患者が負担するいわゆる個室使用料を入院患者側に負担させることを認めている。
【０００５】
しかし、病院側としては、従来の大部屋のようにベッドとベッドの間をカーテンで仕切っただけの環境では、仮に一人あたりの面積を増やすことができたとしても、これだけで個室使用料を患者側に負担はさせ難い心理状態にある。一方、大部屋の中をカーテンに代えてパネルで仕切り個室風に改装すると、雰囲気は好ましくなるが、壁厚がカーテンよりもはるかに大きな仕切りパネルを使用するため、パネルで仕切った一人あたりの面積が小さくなるので、差額ベッド料に関する国の基準に照らしても一人あたりの面積を確保し難いという問題がある。特許文献１は、大部屋をパネルで仕切ると一人あたりの面積が小さくなる例の一つである。
【先行技術文献】
【特許文献】
【０００６】
【特許文献１】特開平７−１３９０６３号公報
【発明の概要】
【発明が解決しようとする課題】
【０００７】
そこで、本発明は、上記のような従来の問題点に鑑み、大部屋においても、個室並みの良好な空間環境を容易に実現することができ、しかも個室使用料の請求もできる病院の大部屋を提供することを課題とするものである。
【課題を解決するための手段】
【０００８】
上記課題を解決することを目的としてなされた本発明に係る病院の大部屋は、床面上にパネルを設置して部屋内にそれぞれ個別にベッドを設置し得る準個室スペースを複数形成した病院の大部屋であって、前記パネルは、積層式の頭部側パネルの一方の表面にサイドパネルの一方の端部を連結して自立可能に形成されたＴ字状の間仕切であり、前記準個室スペースは、前記Ｔ字状の間仕切を前記頭部側パネルの他方の表面で前記部屋を形成する壁面を覆うように床面上に設置して前記サイドパネルの両側にそれぞれ形成され、前記頭部側パネルを形成するパネル部材の一部に、矩形状に貫通した開口部を備えたパネル部材を用いたことを特徴とする。
【０００９】
床面上にＴ字状の間仕切を設置して部屋内にそれぞれ個別にベッドを設置し得る準個室スペースを複数形成したことにより、患者同士のプライバシーも守られるとともに、Ｔ字状の間仕切を形成することにより大部屋の有効面積を殆んど減らすことなく準個室スペースを形成することができる。
【００１０】
しかも、準個室スペースはＴ字状の間仕切を使って形成するため安定板を付けたり、使用したパネルの固定手段も必要なく設置が可能である。
【００１１】
このため、一人あたりの面積を算出する場合は部屋全体の面積を人数（ベッド数）で割ることになるので、平面略Ｔ字状間仕切と相俟って狭い部屋であっても個室使用料が請求可能な一人あたりの床面積を確保できる。
【００１２】
この場合において、準個室スぺースの頭部側パネルと反対側を、天井側に配置したカーテンレールに移動可能に支持されサイドパネルの前端面に触れるか又は接近するカーテンで仕切ることができる。また、サイドパネルが積層タイプのパネルであり、頭部側パネルとサイドパネルを形成するパネル部材の一部に、透光性を有する透光パネル部材か、電源コンセント、電話コンセント、或は簡易手洗いを備えたパネル部材か、又はこれら両方のパネル部材を用いることができる。
【発明の効果】
【００１３】
本発明によれば、病院の大部屋をいわば準個室に仕立てたので、入院患者は個室に準じたスペースでの入院生活を送ることができる一方、病院側は大部屋でありながら個室使用料を入院患者側に請求することができる。
【図面の簡単な説明】
【００１４】
【図１】本発明に係る一実施形態の病院の大部屋の一例を示す平面レイアウト図である。
【図２】本実施形態の病院の大部屋の一例を示す鳥瞰図である。
【図３】本実施形態の病院の大部屋の前の大部屋の状態を示す平面レイアウト図である。
【発明を実施するための形態】
【００１５】
以下、本発明に係る病院の大部屋の一実施形態を添付図面に基づいて説明する。病院における従来の大部屋は、図３に示すように、大部屋Ｒの出入口ＮＸを見通す通路空間Ｆの左右に夫々３台ずつ計６床のベッドＢを配置して使用されていた。各ベッドＢの頭部側の脇には小キャビネットＣが配置され、図には示していないが、各ベッドＢは、天井側に設けたカーテンレールに吊下されたカーテンによって隣のベッドの足側とが開閉可能に仕切られる形態であった。しかし、かかるベッドＢの配置、並びに、カーテンによる仕切り形態では、様々な問題があることは上述した通りである。
【００１６】
そこで本発明では、図３と同じ大部屋Ｒに、図１，図２に示すようにベッドＢを４床設置すると共に、各ベッドＢがあたかも個室に設置されているのと同等の空間環境を形成することにより、いわば準個室を形成するので、以下、この点について述べる。なお、Ｗはこの大部屋Ｒの窓である。
【００１７】
図３に示す大部屋の使用形態では６床のベッドを配置したが、図３と同じ大部屋Ｒに、本発明に係る病院の大部屋では、図１及び図２に示すように、ベッドＢが４床になるので、ベッド１床あたりの占有できる空間は拡大している。これは第４次医療法改正を承けたものである。本発明ではこの拡大したベッド１床あたりの空間を利用して、次のような設備を用いて、各ベッドＢの置かれる空間を準個室化した。
【００１８】
まず、各ベッドＢの左右側を区画するため、両ベッドＢ，Ｂの間に、積層式のサイドパネル１による間仕切壁を立設する。このサイドパネル１は、単位大きさにモジュール化される、ここでは長方形状のパネル部材１ａの１２枚を、長さ方向と上下方向に並べて積層することによりサイドパネル１を形成している。
【００１９】
上記サイドパネル１において、図２に示すように、下から３段目のパネル部材は、適宜の絵や写真、或は、アースカラーなどによる着彩などが設けられて、形成される個室内にいわゆる癒し系といわれる雰囲気をかもし出すためのカラー等のパネル部材１ｂが使用され、また、下から４段目（一番上）のパネル部材には、乳白色など透光性のパネル面を有する透光パネル部材１ｃが少なくとも１枚使用されている。本発明において、カラー等のパネル部材１ｂや透光パネル部材１ｃを使用するかどうかは任意である。
【００２０】
また、上記サイドパネル１のパネル部材１ａ〜１ｃのうち、所要部位、例えば、ベッドＢに居る患者の手が届く、或は、視野内にある少なくとも１つのパネル部材１ａ〜１ｃは、前面を凹棚状に窪ませて、小物置きとして機能させたり、或は、液晶画面ＤＰなどを設置する。本発明ではこの画面ＤＰを後付けで設けるため、選択されたパネル部材１ａ〜１ｃには、前記画面ＤＰの取付用ブラケット（図に表われず）のみを設けた仕様もある。また、このブラケットには、伸縮変向式アームタイプのものを用い、前記画面ＤＰの向きや距離を変更できるようにすることが望ましい。
【００２１】
一方、各ベッドＢの頭部側には、上記パネル部材１ａ〜１ｃと略同じ構成のパネル部材２ａ〜２ｄが選択的に積層配置されて、頭部側パネル２が形成されている。２床並んだベッドＢの頭部側パネル２，２とこの２床の両ベッドＢの間のサイドパネル１は平面視略Ｔ状をなす状態で結合され、床に自立できるものである。すなわち、頭部側パネルの一方の表面にサイドパネルの一方の端部を連結して自立可能にＴ字状の間仕切が形成されている。Ｔ字状の間仕切を、図１に示すように、頭部側パネルの他方の表面で部屋を形成する壁面を覆うように床面上に設置してサイドパネル１の両側に準個室スペースがそれぞれ形成されている。また、通路は、出入口ＮＸから頭部側パネル２に平行に延びつつ各準個室スぺースの頭部側パネル２と反対側にそれぞれ接して、出入口ＮＸから各準個室スペースに出入り可能な空間Ｆにより形成されている。さらに、頭部側パネル２を形成するパネル部材２ａ〜２ｄの一部には、矩形状に貫通した開口部を備えたパネル部材２ｄを用い、開口部を形成する底壁面を小物置きとして機能させたり、頭部側パネル２で覆われた壁面に設けられた電源コンセント、電話コンセント（モジュラーコンセント）や医療器具を使用するための接続口具を使用可能にしたりすることができる。
【００２２】
上記のサイドパネル１と頭部側パネル２において、選択される所要のパネル部材１ａ〜１ｃ、２ａ〜２ｃには、上記構成のほか、電源コンセント，電話コンセント（モジュラーコンセント）、或は、小物収納ボックスや簡易手洗いＨｗなどを具備したものを用い、患者の便宜を図ることができるように形成されている。また、各ベッドＢの頭部側などの脇には、ワードローブやロッカー或はチェストなどの形態を呈する収納キャビネットＣａを設備し、入院患者の便宜に資する。
【００２３】
上記のように、本発明ではサイドパネル１および頭部側パネル２により平面視Ｔ字状の間仕切を形成したので、間仕切としてはぐらつきもなく安定に自立しており、しかも、２床のベッドＢを仕切る最小限の間仕切形状であるため、部屋の有効面積を大きく減らすことはない。
【００２４】
ここで本発明では、間仕切のサイドパネル１の前端面に対し、カーテン４が触れるか触れない程度の接近距離で、開閉自在のカーテンＡを２床のベッドの足部側に配置するため、カーテンレール４ａが天井乃至天井側に配設されている。従って、カーテン４を閉じると、各ベッドＢが配置された準個室スぺースである小空間Ｒ１〜Ｒ４は、あたかも独立した個室と同等の病床空間環境に演出されることとなる。上記カーテン４は、左右のベッドＢに対し夫々に設け、両方のカーテン４，４をサイドパネル１の側に引寄せて開けるようにすると、カーテン４を開放した状態においても高い個室感を得ることができる（図１参照）。
【００２５】
なお、図２の本発明個室の鳥瞰図は、大部屋Ｒへの出入口ＮＸと窓Ｗの位置が図１との例と反転している。
【００２６】
以上の説明は、６床用の一つの大部屋Ｒを４つの小空間Ｒ１〜Ｒ４に変更，設置した例についてであるが、本発明はベッドが少なくとも２床以上の一つ又はそれ以上の大部屋について適用でき、また形成する小空間も各大部屋に少なくとも２以上形成する態様で適用できる。
【００２７】
本発明は以上の通りであって、次の効果が得られる。
床面上にＴ字状の間仕切を設置して部屋内にそれぞれ個別にベッドＢを設置し得る複数の準個室スペースを形成したことにより、各ベッドＢの置かれた空間の独立性が高く、音や光によって左右に隣接するベッドＢ側の影響をうけることが大幅に軽減され、患者のプライバシーを高レベルで保護することができる。
【００２８】
これにより左右で隣り合うベッドＢの間を単にカーテンで仕切った場合に比べ、実質上の個室感を体感できるため、患者の満足度も高まり、また病院側にしても患者から個室使用料を取り易くなるので、双方にメリットがある。
【００２９】
しかも、サイドパネル１と頭部側パネル２によって平面視Ｔ字状の間仕切を形成したので部屋の有効面積をあまり減らさず仕切ることができる。さらに、サイドパネル１の前端面にカーテン４が触れる態様となるようにカーテンレール４ａを天井又は天井側に配設することで、パネルだけで個室を作った場合と異なり、カーテン４を開放すれば開放感も得られる。
【００３０】
このため、一人あたりの面積を算出する場合は、部屋全体の面積を人数（ベッド数）で割ることになるので、Ｔ字状の間仕切と相俟って狭い部屋であっても個室使用料を請求できる一人あたりの面積を確保できる。
【００３１】
本発明は、上記のような効果を奏するので、大部屋を有する病院に適用することにより、その大部屋を準個室化した上で活用することができ、これによって患者および病院の双方がメリットを享受できることになる。
【符号の説明】
【００３２】
１          サイドパネル
１ａ〜１ｃ  パネル部材
２          頭部側パネル
２ａ〜２ｄ  パネル部材
４          カーテン
４ａ        カーテンレール
Ｂ          ベッド
Ｒ          病院 の大部屋
Ｒ１〜Ｒ４  小空間
ＤＰ        液晶画面
Ｗ          窓
【図１】
2011038402.tif 000003
【図２】
2011038402.tif 000004
【図３】
2011038402.tif 000005